(57)【要約】      （修正有）【課題】浴室に紙素材の写真やポスターを貼って飾れることを可能にした特殊加工を施したアートフィルムを提供する。【解決手段】フィルムの両面にはそれぞれ性質の異なる２種類の接着剤、粘着剤が塗布されていて、片面側の接着面接着剤をラミネート加工済みフィルムの裏面（写真やポスターの裏面側）に密着加工する。もう片方の面の吸着剤は、完全密着ではなく吸着脱が自在にでき、貼り剥がしが自由にできる粘着効果を特徴とした粘着剤が塗布されている。したがって、光沢面の壁面や曲面、例えばユニットバスの光沢壁面や、光沢タイル張りの壁面などに特殊フィルムの粘着剤を押し付けるだけで簡単に張り付き、故意に剥がさない限り剥がれることはない。しかし、剥がす場合は特殊加工アートフィルムの端を少し剥がして引っ張れば簡単に剥がすことができ、剥がした後に貼り汚れなどが残ることもない。【選択図】図４
0003160723.tif 000002
【実用新案登録請求の範囲】
【請求項１】
写真やポスターなどを透明なフィルムで且つ湿気や水などを通さないフィルムによって表裏全体を完全密着密閉加工を施すラミネート加工を施し、その裏面（写真やポスターの裏側面）にもう一枚、特殊フィルムを密着加工する、そのフィルムは片側面には完全密着する接着剤が塗布され、もう片方の裏側面には特殊粘着剤が塗布されていて吸着脱が自在にできるよう密着加工を施して完成する。浴室として一般的に普及しているユニットバスの光沢壁面やタイルの光沢壁面、あるいは光沢ガラス面などに接着剤などを塗る必要もなく簡単に貼ることができ、しかも湿気が充満し、お湯や水が直接かかって濡れたとしてもまったく変質も劣化もせず簡単に剥がすことができるし、剥がした後には貼り汚しも残らず奇麗なままで、何度でも貼り剥がしができる着脱自在の粘着剤が塗布された、特殊フィルムを完全密着加工することにで、写真やポスターなどを浴室に自由貼れることを特徴とする本考案の特殊加工アートフィルム「おフロでギャラリー」。
【考案の詳細な説明】
【技術分野】
【０００１】  本考案は、写真やポスターなどを、お風呂などの湿気の多い、しかもお湯や水がかかって濡れる場所に貼っても、湿気ったり濡れて破損することが全く無いように特殊加工を施す加工技術に関するものである。
【背景技術】
【０００２】  これまで一般家庭の浴室の壁面には、写真やポスターなどの基本的には紙類を素材にしたものを貼ることなど出来るはずもなく、また、普通の生活でのこれまでにはそんな発想も現実もなかった。辛うじて考えられたものとしてカラータイルの浴室壁面にモザイクデザインで表した図形が、過去の一時期流行ったときもあったようだが、ユニットバスが主流の近年では壁面に芸術性や文化的な表現は見られず、まして写真やポスターなどを貼って楽しむなど、これまで見聞きしたこともない。
【考案の開示】
【考案が解决しようとする課題】
【０００３】  浴室に趣味の写真やポスターなどを貼って楽しめるなど全く想像だにしなかったのがこれまで一般的なことだったと考えらる。したがって、考えもしなかったことなので取り立てて不便だとする思いがなかったことも普通のことであった。また、お風呂に入る目的は、身体を洗って清潔にすることが主たる目的ではあるが、同時に心身ともにリラックスしたいという欲求もまた入浴では大切な目的でもある。何の変哲もない白色やグレー色が浴室の一般的な壁色で、しかも限られた狭い空間ではあるが、リラックスのひとときとして違和感もなく過ごしているのも現状である。そんな何の変哲もない浴室の壁面に、もし風景や花や趣味の写真や、あるいはポスターなどを貼って楽しめるとしたら、今までとは随分違った入浴ができるはずです。これまでにはなかった雰囲気を新しく提供できるのが、本願の特殊加工アートフィルム「おフロでギャラリー」である。
【課題を解決するための手段】
【０００４】  上記の目的を達成するための本考案に係る特殊加工フィルムは、特に一般家庭の浴室に貼ることを目的に考案したものであるが、貼る面がツルツルしたガラス面やタイル面、あるいは金属類でも表面が光沢面であれば貼る場所を選ばず、また貼るための糊や接着剤やセロテープなど全く必要としないため、その利便性は優れている。しかも貼り付ける面にそのまま押し付けるだけで貼れて、剥がすときは、フィルムの端を少し剥がして引っ張れば簡単に剥がすことができます。
【考案の効果】
【０００５】  また、本考案によれば、湿気やお湯や水に濡れることが避けられない浴室において、お湯や水が跳ねてかかったりしても完全防水加工を施しているので、写真やポスターを痛めることはない。気兼ねなく趣味の写真やポスターを浴室に貼って楽しむことができるため、心身ともによりリラックスでる。しかも、貼る写真やポスターを季節ごとに、あるいは新しい写真やポスターに貼り変えたいと思ったら、粘着脱自在を特徴としているため、簡単に貼り剥がしができるのも本考案の利点。したがって、写真やポスターを痛めることもなく、また剥がした後の壁面を全く汚さず、同じものを何度でも繰り返し貼り剥がしができることも本考案の優れた効果を奏するものである。
【考案を実施するための最良の形態】
【０００６】  次に、本考案の実施の形態を図面に基づいて説明する。図１は、本願特殊加工アートフィルム「おフロでギャラリー」の完成品を真上から見た平面図、図２は本願特殊加工アートフィルムの加工前の状態を各層に分離した断面図、図３は本願特殊加工アートフィルムの第一加工（ラミネート加工）を施した状態の断面図、図４は本願特殊加工アートフィルムの第二加工終了及び完成品の断面図。【０００７】  図２の断面図の如く、本願特殊加工アートフィルム「おフロでギャラリー」は４層からなっており、２工程の加工で完成する。【０００８】  図３は本願特殊加工アートフィルム「おフロでギャラリー」の第１加工の断面図で、写真やポスターなどを湿気や水などで濡れることを防ぐために、完全密着防水加工としてラミネート加工を施している。【０００９】  図４は本願特殊加工アートフィルム「おフロでギャラリー」の第１加工及び第２加工を施し完成した状態の断面図である。【００１０】  図１、図３、図４の如く、本願特殊加工アートフィルム「おフロでギャラリー」は、透明ラミネートフィルムの加工において３〜５ｍｍの耳を付けて完全密着密閉しており、写真やポスターがラミネート加工フィルムに完全に密着しているので、湿気はもとより水やお湯がかかったとしても、写真やポスターが濡れたり、フィルムの間から染み込むことは全くない。【００１１】  まず、第１加工工程では、紙素材による写真やポスターなどの製作目的物にラミネート加工を施す。【００１２】  次に、第２加工工程では、図２、図４の９の特殊フィルムを第１加工でラミネート加工を施した図３の裏側（写真やポスターの裏面側）に張り付ける加工を施す。この第２加工が本願特殊加工アートフィルム「おフロでギャラリー」を特殊加工と表する所以で、第２加工を施すことによって、特に湿気が充満し、お湯や水が頻繁にかかる浴室に本願特殊加工アートフィルムを貼ることが可能になったのです。【００１３】  本願特殊加工アートフィルムの更なる特徴は、浴室などの光沢壁面に貼り付けるとき、接着用の接着剤もテープ類も一切必要とせずに貼れること、そして剥がすときにはフィルムの端を少し剥がして引っ張れば簡単に剥がせて、剥がした後も汚れが残らず奇麗なままで、何度でも貼り剥がしが可能というのが本考案の優れた特徴です。【００１４】  図２、図４の９の特殊フィルムは、その片面には、例えば光沢フィルムなどに貼った場合、完全に密着して剥がれない接着剤、図２の１０が塗布されており、もう片方の面には、例えば貼り付ける面がユニットバスの光沢壁面や光沢タイル面、あるいは光沢ガラス面や金属などの光沢面、あるいは曲面に特殊フィルム図２、図４の９を貼り付けようとしたとき、接着用の糊や接着剤、あるいはテープなどを一切必要せずにしかも粘着脱が自在な粘着剤図２、図４の１１を貼り付ける壁面に押し付けるだけで簡単に張り付き、故意に剥がさないかぎり剥がれることはなく、剥がす場合にはフィルムの端を少し剥がして引っ張れば簡単に剥がせ、何度でも貼り剥がしができる特殊粘着剤図２、図４の１１が塗布されている特殊フィルムである。【００１５】  戸建て住宅やマンションなどの一般住宅に普及しているユニットバスの壁面は、その多くが白色���グレー色調などの限られた色調で無機質、無味乾燥の殺風景な浴室です。また普通の人の入浴目的は、身体を奇麗に洗って清潔にすることであり、ゆっくりと湯船に浸かって寛ぐ時間として楽しみに入浴するなどの限られた目的です。浴室に趣味の写真やポスターなどを季節にあわせて貼ったり貼り変えたりすることができたらという概念は、湿気が充満し、まして水やお湯が頻繁にかかる浴室の壁に紙素材の写真やポスターを貼るなどは、今までに体験のないことですからそのような欲求も発想も起こらないのも当然のことでい。【００１６】  しかし、今までに体験も発想も起こらなかったとことを可能にしたのが、本願特殊加工アートフィルム「おフロでギャラリー」である。簡単に貼れて新しい写真やポスターに簡単に貼り変えることができ、一度作った特殊加工アートフィルムは何度でも繰り返し貼り剥がしができることで無駄になることもなく、その利用価値は極めて大です。また、一般家庭のご自宅の浴室に、自分が撮影した写真を貼って楽しめるなど思ったこともなかった未経験の体験を本願特殊加工アートフィルム「おフロでギャラリー」が可能にしたことで、自宅のお風呂場が新しい写真の展示場所になるなど、入浴をより楽しい時間を過ごせる場所になることを実現させました。
【図面の簡単な説明】
【００１７】
【図１】本願特殊加工アートフィルム「おフロでギャラリー」を真上から見た平面図である。
【図２】本願特殊加工アートフィルム「おフロでギャラリー」の４層構造を分解した図である。
【図３】第１加工工程（ラミネート加工）の完了断面図である。
【図４】第２加工工程終了図及び本願特殊加工アートフィルム「おフロでギャラリー」の加工完了断面図（断面形態は四方共同じ）である。
【符号の説明】
【００１６】  １  本願特殊加工アートフィルム「おフロでギャラリー」本体平面図
２  写真やポスターなどの加工紙
３  ラミネートフィルム及び特殊フィルムの耳部
４  ラミネートフィルム表面側本体
４′ラミネートフィルム表面側本体の表面
５  ラミネートフィルム表面側内側密着剤
６  ラミネートフィルム裏面側本体
６′ラミネートフィルム裏面側本体の裏面
７  ラミネートフィルム裏面側の内側密着剤
８  ラミネート加工によって加工紙を密着密閉
９  吸着脱自在特殊フィルム本体
１０  吸着脱自在特殊フィルム内側密着剤
１１  吸着脱自在特殊フィルム外側吸着脱自在特殊吸着剤
１２  ラミネートフィルム裏面と吸着脱自在特殊フィルム内側密着
１３  吸着脱自在特殊フィルム耳部
■    図面の特太線は完全密着部を示す
【図１】
0003160723.tif 000003
【図２】
0003160723.tif 000004
【図３】
0003160723.tif 000005
【図４】
0003160723.tif 000006
【手続補正書】
【提出日】平成22年1月9日(2010.1.9)
【手続補正１】
【補正対象書類名】実用新案登録請求の範囲
【補正対象項目名】全文
【補正方法】変更
【補正の内容】
【実用新案登録請求の範囲】
【請求項１】
本考案の防水加工を施した粘着脱自在の写真シートフィルム（以下、写真シートフィルム）においては、
（１）２工程の加工工程によって出来上がるが、まず第１工程において紙質素材の写真やポスター等を透明且つ湿気や水などを通さないフィルムで、表裏全体を完全に接着し、密閉防水加工を施すラミネートフィルム加工を施し、
（２）次に、ラミネートフィルム加工を施した裏面に、もう一枚、片面には接着剤が塗布され、もう片面には粘着脱が自在にできる特殊粘着剤を塗布している粘着脱自在特殊フィルム（以下、特殊フィルム）を接着加工する第２加工工程を経て完了するが、
（３）その形状は、薄い紙質素材の写真やポスター等を極薄の透明ラミネートフィルムで挟んで接着密閉防水加工を施した加工紙部の断面５層と、その四辺耳部の接着した断面３層の構造からなっている第一加工工程におけるラミネートフィルム裏面に、もう一枚、特殊フィルムを接着して完了する本体加工紙部の断面９層からなる構造と、その四辺耳部の断面８層構造からなっている写真シートフィルムで、本体加工紙部の断面構造の１層目は、透明極薄表面ラミネートフィルム、２層目は表面ラミネートフィルムの内側と加工紙の表面とを接着した接着部、３層目は写真やポスター等の加工紙、４層目は加工紙の裏面と裏面ラミネートフィルムの内側とを接着した接着部、５層目は加工紙を挟んで完全接着密閉防水を施した裏面ラミネートフィルム、６層目はラミネートフィルム裏面と、片面には接着剤が塗布され、もう片面には粘着脱自在の特殊粘着材が塗布された特殊フィルムとを接着した接着部、７層目は特殊フィルム、そして本体裏面に当たる８層目は粘着脱自在の特殊粘着剤で、９層目には、特殊粘着材を埃やゴミが付着しないように保護するための保護フィルムで構成された本体加工紙部の断面構造と、本体四辺耳部の完全密閉防水加工部の８層構造で構成されている。
以上の８層及び９層からなる構造で構成されている本考案の写真シートフィルム。
【手続補正２】
【補正対象書類名】明細書
【補正対象項目名】全文
【補正方法】変更
【補正の内容】
【考案の詳細な説明】
【技術分野】
【０００１】  本考案は、写真やポスターなどをお風呂などの湿気の多い、しかもお湯や水がかかって濡れる場所に貼っても、湿気ったり濡れて破損したりすることが全く無いように、特別な加工を施すことによって、そのことを可能にした加工技術に関するものである。
【背景技術】
【０００２】  これまで一般家庭の浴室の壁面に、写真やポスターなどの基本的には紙質類を素材にしたものを貼ることは極めて難しいことであった。また普通の生活において、浴室に観賞用の写真やポスターなどを貼って楽しもうと思う発想はもともとなく、過去には、一部モザイクタイルで壁面に多少のデザインを施した浴室は存在したが、ユニットバスが普及されている近年では、狭い空間をより機能的にすっきり仕上げるコンパクト設計が主流。
【考案の開示】
【考案が解決しようとする課題】
【０００３】  一般的家庭の浴室に、紙質素材の写真やポスター類を貼って楽しみたいと思ったとしても、湿気が充満し、頻繁に水やお湯が飛び散って壁面を濡らす狭い空間の浴室に、それらを貼ったとしても品質を損ねない加工技術はこれまで見当たらなかった。そこで本案は、紙質素材の写真やポスター類を浴室に貼っても全く損ねることもなく、しかも何度でも貼り剥がしができる加工を考案することにあった。【０００４】  上記の目的を達成するための本考案の写真シートフィルムは、特に一般家庭の浴室に貼ることを目的に考案したものであるが、貼る面がツルツルしたガラス面やタイル面、あるいは金属類でも表面が光沢面であれば貼る場所を選ばず、また貼るための糊や接着剤やセロテープ（登録商標）などを全く必要としないため、その利便性は特に優れており、しかも貼り付ける面にそのまま押し付けるだけで簡単に貼れて、剥がすときはフィルムの端を少し剥がして引っ張れば、簡単に剥がすことができる。
【考案の効果】
【０００５】  本考案によって、湿気やお湯や水に濡れることが避けられない浴室においてもそれらが飛び散って本案の写真シートフィルムにかかって濡らしたとしても、防水加工を施していることによって濡れることを全く気にせず、大切な趣味の写真やポスター類を浴室に貼って楽しむことができ、しかも粘着脱自在を可能にしていることで簡単に貼り剥がしができて、剥がした後の壁面を汚すこともなくきれいなまま、そしで何度でも繰り返し貼り剥がしができることも、本考案の優れた効果といえる。
【考案を実施するための最良の形態】
【０００６】  次に、本考案の実施の形態を図面に基づいて説明すると、図１は、本願写真シートフィルムを真上から見た平面図。図２は加工前の状態を各層に分離した断面図、図３は第１加工工程のラミネートフィルム加工を施した状態の断面図で、太線は接着部。図４は第２加工工程終了後のａ線の加工完了断面図で、太線は接着部。図５は本体四辺耳部のｂ線の断面図で、太線は接着部。【０００７】  図２の断面図の如く、本願加工前における構造は９層からなっており、第１加工及び第２加工工程を経て完了する。【０００８】  図３は第１加工工程におけるラミネートフィルム加工を施した状態の断面図で、写真やポスターなどの加工紙に、湿気や水やお湯などがかかったとしても染み込んで汚れたり、濡れたりしないように、２枚の極薄フィルム４、７で加工紙を挟み完全に接着１１、１２して密閉１３することで、同時に防水効果も得られるラミネートフィルム加工を施した状態の断面図である。【０００９】  図４は本願第１加工及び第２加工を施した加工完了状態の本体ａ線の断面図で、接着密閉された加工紙部の断面構造は９層で構成されており、本体四辺耳部３の構造は８層の構造で、太線は接着部。【００１０】  図１、図３、図４、図５の如く、本願写真シートフィルムは、透明ラミネートフィルム加工において３〜５ｍｍの耳部を設けて完全接着密閉防水加工を施しており、写真やポスター等に、湿気はもとより水やお湯がかかったとしても、濡れたり、フィルムの間からそれらが染み込むことは全くない。太線は接着部。【００１１】  本考案は、第１、第２加工工程によって完了するが、まず第１加工工程は、紙質素材の写真やポスター等の加工紙に、ラミネートフィルム加工を施す図３。【００１２】  次に、第２加工工程として、図２、図４の９の特殊フィルムを第１加工工程でラミネートフィルム加工を施した図３の裏面側に接着加工を施すことにより、湿気が充満し、お湯や水が頻繁に飛び散る浴室に、本願写真シートフィルムを貼ることができることを可能にしている。【００１３】  本願写真シートフィルム加工の目的は、浴室などの光沢壁面に貼るとき、接着用の接着剤や接着テープ類を一切必要とせずに、特殊粘着剤保護フィルム図２、図４、図５の１５を剥がして貼れること。また、写真シートフィルムを剥がすときはフィルムの端を少し剥がして引っ張れば簡単に剥がせ、剥がした後には汚れが残らずきれいなまま、そして何度でも繰り返し貼り剥がしができることも本考案の優れた特徴である。【００１４】  また、図２、図４の９の特殊フィルムは、その片面は、例えば光沢フィルムに貼った場合完全に接着して剥がれない接着剤図２の８が塗布されており、もう片面には、例えば貼る面が浴室の光沢壁面や光沢タイル面、あるいは浴室に限らす光沢ガラス面や金属などの光沢平面や曲面などに貼るとき、接着用の糊や接着剤、あるいは接着テープ類などを一切必要せずに、しかも粘着脱が自在にできる粘着剤図２、図４の８の保護フィルム図２、図４、図５の１５を剥がして写真シートフィルムを貼る面に押し付けるだけで簡単に貼れて、故意に剥がさないかぎり剥がれることはなく、剥がす場合には、フィルムの端を少し剥がして引っ張れば簡単に剥がせ、何度でも繰り返し貼り剥がしができる特殊粘着剤図２、図４の８が塗布されている特殊フィルム。【００１５】  戸建て住宅やマンションなどの一般住宅に普及しているユニットバスの壁面は、白色やグレー色調などの無機質で無味乾燥の限られた色調が多く殺風景。また入浴の目的は、まず身体を奇麗に洗って清潔にすることであり、ゆっくりと湯船に浸かって寛ぐひとときを楽しみに入浴するというのが一般的な目的。しかし浴室に趣味の写真やポスターを貼って楽しみたいと思ったとしても、過去に見聞きしたことのないことは現実味もなく、深く考えることもなかったのが一般的だった。【００１６】  本願写真シートフィルムが、これまで紙質素材の写真やポスター類を浴室に貼って楽しむなど無理だったことを可能にしたことで、特に一般家庭の自宅の浴室に、自分が撮影した趣味の写真や、好みの絵画ポスター、あるいは好きなタレントなどのポスター類を貼って楽しめるなど、入浴のひとときのリラックス度の向上、そして写真の新しい楽しみ方を提供できることは、極めて高い利用価値を本考案は実現させたと言えます。
【図面の簡単な説明】
【００１７】
【図１】本願写真シートフィルム本体の平面図。
【図２】本願写真シートフィルムの９層構造の分解図。
【図３】第１加工工程におけるラミネートフィルム加工後の断面図及び太線は接着部。
【図４】図１のａ線の本体９層構造の断面図及び太線は接着部。
【図５】図１のｂ線の本体耳部の８層構造の断面図。
【符号の説明】
【００１８】  １  写真シートフィルム本体
２  写真及びポスター等加工紙
３  透明ラミネートフィルム及び特殊フィルム耳部
４  表面側透明ラミネートフィルム
５  表面側透明ラミネートフィルム内側接着剤
６  裏面側透明ラミネートフィルム内側接着剤
７  裏面側透明ラミネートフィルム
８  特殊フィルム内側接着剤
９  特殊フィルム
１０  粘着脱自在特殊粘着剤
１１  表面透明ラミネートフィルム内側と加工紙の接着部
１２  加工紙と裏面側透明ラミネートフィルム接着部
１３  透明ラミネートフィルム表裏加工紙密閉防水接着部
１４  透明ラミネートフィルム裏面外側と特殊フィルム接着部
１５  特殊粘着剤保護フィルム
【手続補正３】
【補正対象書類名】図面
【補正対象項目名】全図
【補正方法】変更
【補正の内容】
【図１】
0003160723.tif 000007
【図２】
0003160723.tif 000008
【図３】
0003160723.tif 000009
【図４】
0003160723.tif 000010
【図５】
0003160723.tif 000011
【手続補正書】
【提出日】平成22年4月6日(2010.4.6)
【手続補正１】
【補正対象書類名】実用新案登録請求の範囲
【補正対象項目名】全文
【補正方法】変更
【補正の内容】
【実用新案登録請求の範囲】
【請求項１】
ラミネートペットフィルムで防水加工をした上に吸着及び粘着脱自在フィルムを施してなり、浴室の光沢の壁面、室内外の光沢のある壁面及び光沢ガラス面等に吸着及び粘着・着脱が自由にできる紙質素材の写真・ポスター等において、本体加工紙部の断面９層からなる構造と、その四辺耳部の断面８層構造からなっている写真シートフィルムであり、本体加工紙部の断面構造の１層目は、透明極薄表面ラミネートペットフィルム、２層目は表面ラミネートペットフィルムの内側と加工紙の表面とを接着した接着部、３層目は写真やポスター等の加工紙、４層目は加工紙の裏面と裏面ラミネートペットフィルムの内側とを接着した接着部、５層目は加工紙を挟んで完全接着密閉防水を施した裏面ラミネートペットフィルム、６層目は裏面ラミネートペットフィルムの裏面と、片面には接着剤が塗布され、もう片面は吸着及び粘着脱自在の特殊吸着・粘着構造を成した特殊フィルムとを接着した接着部、７層目は特殊吸着及び粘着フィルム、そして本体裏面に当たる８層目は吸着及び粘着脱が自由にできる吸盤原理及び粘着原理を応用した特殊吸着及び粘着構造を成した面、９層目には、特殊吸着及び粘着面を埃やゴミが付着しないように保護するための保護フィルムで構成された本体加工紙部の断面構造と、本体四辺耳部の完全に接着され密閉された防水加工部の８層構造で構成されている写真シートフィルム。
【手続補正２】
【補正対象書類名】明細書
【補正対象項目名】全文
【補正方法】変更
【補正の内容】
【考案の詳細な説明】
【技術分野】
【０００１】  写真やポスターなどを湿気が充満し、お湯や水が頻繁に飛び散るお風呂に貼っても、濡れたり湿気たりすることがない特別な加工技術に関するものである。
【背景技術】
【０００２】  これまで一般家庭の浴室の壁面に、紙質素材の写真やポスターなどを貼ることは極めて困難であり、普通の生活において浴室に観賞用の写真やポスターを貼って楽しもうと思う発想はなく、もしあったとしてもそんな写真やポスターは技術的に難しく、壁面にモザイクタイルで多少のデザインを施した浴室は存在していたが、狭い空間を機能的にすっきり仕上げるコンパクト設計のユニットバスが主流で普及している近年では、心身ともに癒されるはずの浴室は、浴槽に高機能を備えた泡風呂やジェットバスなどのハード面は高級化し充実しており、身体は癒されるが心の部分、精神的に癒されるソフト面の配慮は欠けている。
【考案の開示】
【考案が解決しようとする課題】
【０００３】  一般的家庭の浴室に、紙質素材の写真やポスター類を貼って楽しみたいと思ったとしても、湿気が充満し、頻繁に水やお湯が飛び散って壁面を濡らす狭い空間の浴室に、それらを貼ったとしても品質を損ねない加工技術はこれまでにはなく、そのことに着目し、浴室に写真などの紙質素材を貼っても損ねることはなく、しかも貼るための接着剤や接着テープ類も必要としないで、簡単に貼れて簡単に剥がせ、何度でも繰り返し貼り剥がしが自由にできる写真の加工を考案することにあった。
【考案の効果】
【０００５】  加工した写真シートフィルムは、湿気やお湯や水などで濡れることが避けられない浴室に貼って、たとえ濡れたとしても写真シートフィルムは防水加工により濡れることがないため、気兼ねなく写真やポスター類を浴室に貼って楽しむことができ、誰でも簡単に貼れて簡単に剥がせ、何度でも繰り返し貼り剥がしができ剥がした後の壁面は奇麗なままという特長を有している。
【考案を実施するための最良の形態】
【０００６】  実施の形態を図面に基づいて説明すると、図１は写真シートフィルムを真上から見た平面図。図２は加工前の状態を各層に分離した断面図、図３はラミネートペットフィルム両面熱圧着加工を施した断面図で極太線は接着部。図４は完成品のａ線断面図で極太線は接着部。図５は本体四辺耳部のｂ線断面図で極太線は接着部。【０００７】  図２の断面図の如く加工前における構造は９層からなっており、完成品の本体加工紙部は９層で、その四辺耳部は８層構造になっている。【０００８】  図３は第１加工におけるラミネートペットフィルム両面熱圧着加工を施した断面図で、写真やポスターなどの加工紙に水やお湯がかかって濡れたり、染み込んで汚れたりしないように２枚の極薄ラミネートペットフィルム４、７で加工紙を挟み完全に接着１１、１２して密閉１３することにより同時に防水効果も得られるラミネートペットフィルム両面熱圧着加工を施した状態の断面図である。【０００９】  図４は第１加工及び第２加工を施した加工完了の本体ａ線の断面図で、接着密閉された加工紙部の断面構造は９層で構成され、図５は本体四辺耳部３の断面構造で８層で構成され極太線は接着部。【００１０】  図１、図３、図４、図５の如く写真シートフィルムは、透明ラミネートペットフィルム両面熱圧着加工において３〜５ｍｍの耳部を設けて接着密閉防水加工を施すことにより、フィルムの間から湿気や、お湯や水が染み込むことはなく、ましてお湯や水がかかっても濡れない構造になっている、極太線は接着部。【００１１】  加工は、まず紙質素材の写真やポスター等の加工紙を表裏２枚の極薄ラミネートペットフィルムで挟んで、両面熱圧着加工を施す図３。【００１２】  次に、図２、図４、図５の特殊吸着及び粘着フィルム９をラミネートペットフィルム両面熱圧着加工を施した図３の裏面側に接着することにより、浴室の光沢のある壁面、室内外の光沢のある壁面及び光沢ガラス面等に接着剤や接着テープ類を必要とせずに吸着及び粘着・着脱自在ができ、湿気が充満しお湯や水が頻繁に飛び散る浴室に写真シートフィルムを貼っても、湿気ったり濡れたりしないことを可能にしている。【００１３】  写真やポスターなどを写真シートフィルムにする目的は、湿気が充満し頻繁に水やお湯が飛び散る浴室の光沢のある壁面、室内外の光沢のある壁面及び光沢ガラス面等に接着剤や接着テープ類を一切必要とせずに、特殊吸着及び粘着構造を成した面の保護フィルム図２、図４、図５の１５を剥がして光沢の壁面に押し当てるだけで紙質素材の写真やポスターなどを簡単に貼って楽しめ、剥がすときもフィルムの端を少し剥がして引っ張れば簡単に剥がせ、剥がした後には汚れが全く残らず奇麗なまま、そして何度でも繰り返し貼り剥がしができるのも写真シートフィルムの特長。【００１４】  図２、図４、図５の特殊吸着及び粘着フィルム９の片面は、ラミネートペットフィルムに貼った場合完全に接着して剥がれない接着剤図２の８が塗布されており、もう片面には、浴室の光沢のある壁面、室内外の光沢のある壁面及び光沢ガラス面、金属などの光沢平面や曲面などに貼るとき、接着用の糊や接着剤、接着テープ類は一切必要せずに、吸着及び粘着脱が自由にできる特殊吸着構造及び粘着構造を成した面図２、図４、図５の１０の保護フィルム図２、図４、図５の１５を剥がして、貼る面に押し当てるだけで簡単に貼れて、故意に剥がさないかぎり剥がれることはなく、剥がすときはフィルムの端を少し剥がして引っ張れば簡単に剥がせ、何度でも繰り返し貼り剥がしができる吸盤原理及び粘着原理を応用した特殊吸着及び粘着構造を成した面図２、図４、図５の１０を有している特殊吸着及び粘着フィルム。【００１５】  一戸建て住宅や、マンションなどの一般住宅に普及しているユニットバスの壁面は、白色やグレー色調など、無機質で無味乾燥の限られた色調が多く殺風景で、人々が日々お風呂に入るのは身体を奇麗に洗って清潔にするだけが目的でないことに配慮がなされてなく、身体を癒す泡風呂やジェットバスなどハード面の機能は充実しているが、ゆっくりと湯船に浸かって寛ぎ心身ともに癒すひとときを楽しみに入浴する心を癒すソフト面での配慮が欠けているが現実で、もし浴室に、美しい風景や花の写真、あるいは子供の写真、孫の写真、動物の写真などを貼れたとしたら、よりくつろいで入浴できるはず、しかし今までは浴室に貼れる写真やポスターなど存在せず、見聞きしたこともないことゆえに、人は、浴室に写真を貼ろうなどと思うこともなかった。【００１６】  写真シートフィルムは、紙質素材の写真やポスター類を浴室に貼って楽しめることを可能にしたこと、特に一般家庭の自宅の浴室に自分が撮影した趣味の写真や好みの写真、あるいは絵画や好きなタレントのポスターなどを貼って楽しむことができるなど、お風呂のひとときをよりリラックスして過ごせることを可能にし、また浴室に限らず、室内外の光沢のある壁面及び光沢ガラス面などの光沢面に簡単に貼れて簡単に剥がせ、接着のための糊や接着剤、接着テープ類は一切必要とせずに吸着及び粘着面の保護フィルムを剥がして貼る面に押し当てるだけで簡単に貼れて、故意に剥がさない限り剥がれることはなく、剥がすときはフィルムの端を少し剥がして引っ張れば簡単に剥がせ、何度でも繰り返し貼り剥がしが自由にできる写真ですから、今までに考えもしなかったこと、考えも及ばなかった全く新しい写真の楽しみ方ができる、極めて高い利用価値のある写真を実現させたものです。【００１７】
【図１】
写真シートフィルム本体の平面図。
【図２】
写真シートフィルムの９層構造の分解図。
【図３】
第１加工、ラミネートペットフィルム両面熱圧着加工後の断面図及び極太線は接着部。
【図４】
図１の本体９層構造ａ線の断面図及び極太線は接着部。
【図５】
図１の本体耳部８層構造ｂ線の断面図及び極太線は接着部
【００１８】１  写真シートフィルム本体
２  写真及びポスター等加工紙
３  透明ラミネートペットフィルム及び特殊吸着及び粘着フィルム耳部
４  表面側透明ラミネートペットフィルム
５  表面側透明ラミネートペットフィルム内側接着剤
６  裏面側透明ラミネートペットフィルム内側接着剤
７  裏面側透明ラミネートペットフィルム
８  特殊吸着及び粘着フィルム内側接着剤
９  特殊吸着及び粘着フィルム
１０  吸着及び粘着脱自在特殊吸着及び粘着構造を成した面
１１  表面透明ラミネートペットフィルム内側と加工紙表面接着部
１２  裏面透明ラミネートペットフィルム内側と加工紙裏面接着部
１３  透明ラミネートペットフィルム両面熱圧着による加工紙密閉防水接着部
１４  透明ラミネートペットフィルム裏面外側と特殊吸着及び粘着フィルム接着部
１５  特殊吸着及び粘着構造を成した面の保護フィルム
【手続補正３】
【補正対象書類名】図面
【補正対象項目名】全図
【補正方法】変更
【補正の内容】
【図１】
0003160723.tif 000012
【図２】
0003160723.tif 000013
【図３】
0003160723.tif 000014
【図４】
0003160723.tif 000015
【図５】
0003160723.tif 000016